(57)【要約】      （修正有）【課題】  機構が複雑になり切断ユニットのコストが増大するという欠点を解消する切断ユニットを提供する。【解決手段】  紙巻タバコの硬質包体のカラー２用ブランク材３を切断するための切断ユニット１であって、包装材料の連続細片１２が、切込み部材３１及び刃３０を有するナイフ１８と、カウンタ刃２２を有する固定切断ブロック１７とが設けられた切断部署１４を通して予め決められた方向１３に送られ、ナイフ１８が、細片１２の移動方向１３に交差する固定軸線２９回りに動作位置から又は動作位置へと揺動し、この動作位置では、切込み部材３１が、切断ブロック１７の接触面２１と協働してカウンタ刃２２から上流の細片１２の一部分に切込みを入れるようにし、細片１２が切断線に沿いつつ切断されるように刃３０がカウンタ刃２２を越えて配置される。【選択図】図１
2005329711.tif 000002
【特許請求の範囲】
【請求項１】
紙巻タバコの硬質包体のカラー用ブランク材を切断するための切断ユニットであって、該切断ユニットが、切断部署（１４）と、該切断部署（１４）を通って延びる予め決められた送り経路（Ｐ）に沿って予め決められた方向（１３）に包装材料の連続細片（１２）を送るための送りライン（１５）と、該細片（１２）を一連のブランク材（３）に切断するために前記切断部署（１４）に配置された切断装置（１６）とを具備し、該切断装置（１６）が、カウンタ刃（２２）を有する固定切断ブロック（１７）と、前記方向（１３）と交差する固定回転軸線（２９）回りに回動するように取り付けられかつ前記カウンタ刃（２２）と協働する刃（３０）を有するナイフ（１８）と、該ナイフ（１８）及び前記切断ブロック（１７）が前記送り経路（Ｐ）の両側に配置される第１の位置と、前記刃（３０）及び前記カウンタ刃（２２）が前記送り経路（Ｐ）の同一の側に配置される第２の位置との間を前記ナイフ（１８）が前記回転軸線（２９）回りに揺動するように前記ナイフ（１８）に接続される作動手段（１９）とを具備したユニット（１）において、前記切断ブロック（１７）が、前記カウンタ刃（２２）の上流において前記送り経路（Ｐ）に沿いつつ配置される接触面（２１）を具備し、前記ナイフ（１８）が、刃（３０）と一体的の切込み部材（３１）であって、前記ナイフ（１８）が前記第２の位置にあるときに前記接触面（２１）に面して前記細片（１２）を該接触面（２１）に対し押圧するようにする切込み部材（３１）を具備したユニット（１）。
【請求項２】
前記接触面（２１）が多数のスリット（２３ａ、２３ｂ）を具備し、前記切込み部材（３１）が多数の切込み要素（３３ａ、３３ｂ）を具備し、前記ナイフ（１８）が前記第２の位置にあるときにこれら切込み要素（３３ａ、３３ｂ）が前記スリット（２３ａ、２３ｂ）と協働して前記細片（１２）に折線（７）及び切込み（１０）を形成するようにする、請求項１に記載のユニット。
【請求項３】
前記作動手段（１９）がカム作動手段である、請求項１又は２に記載のユニット。
【請求項４】
前記作動手段（１９）が、回転式カム（３６）と、前記回転軸線（２９）に装着されるロッカーアーム（２６）と、これらカム（３６）とロッカーアーム（２６）との間に介在するカム従動子（３５）とを具備し、前記ナイフ（１８）が前記ロッカーアーム（２６）に堅固に接続されている、請求項１から３のいずれか１項に記載のユニット。
【請求項５】
前記作動手段（１９）が、前記ナイフ（１８）の前記切断ブロック（１７）と反対の側に配置された反作用アセンブリ（３７）であって、前記ナイフ（１８）が前記第２の位置にあるときに前記接触面（２１）により前記切込み部材（３１）に伝達される反作用力を吸収するために前記切込み部材（３１）に接続された反作用アセンブリ（３７）を具備した、請求項１から４のいずれか１項に記載のユニット。
【請求項６】
前記反作用アセンブリ（３７）が、前記回転軸線（２９）に平行な対応する軸線（４０）回りに揺動するよう装着されたクランク（３８）と、該クランク（３８）と前記ロッカーアーム（２６）との間に介在する第１の連接棒（４５）と、該クランク（３８）と前記切込み部材（３１）との間に介在する第２の連接棒（４１）とを具備し、該クランク（３８）が、前記ロッカーアーム（２６）及び該第１の連接棒（４５）によって、前記第１の位置に対応する休止位置と前記第２の位置に対応する動作位置との間を移動され、該クランク（３８）及び該第２の連接棒（４１）が、該クランク（３８）が該動作位置にあるときに、互いに整列されて前記接触面（２１）に実質的に直交する、請求項５に記載のユニット。
【発明の詳細な説明】
【技術分野】
【０００１】
本発明は、紙巻タバコの硬質包体のカラー用ブランク材を切断するための切断ユニットに関する。
【０００２】
さらに具体的には、本発明は、紙巻タバコの硬質包体のカラー用ブランク材を切断するための切断ユニットであって、該切断ユニットが、切断部署と、該切断部署を通って延びる予め決められた送り経路に沿って予め決められた方向に包装材料の連続細片を送るための送りラインと、該細片を一連のブランク材に切断するために前記切断部署に配置された切断装置とを具備する種類のものであり、該切断装置が、カウンタ刃を有する固定切断ブロックと、前記方向と交差する固定回転軸線回りに回動するように取り付けられかつ前記カウンタ刃とはさみの要領で協働する刃を有するナイフと、該ナイフ及び前記切断ブロックが前記送り経路の両側に配置される第１の位置と、前記刃及び前記カウンタ刃が前記送り経路の同一の側に配置される第２の位置との間を、前記ナイフが前記回転軸線回りに揺動するように前記ナイフに接続される作動手段とを具備したユニットに関する。
【背景技術】
【０００３】
紙巻タバコのヒンジ留め蓋付き硬質包体を製造するための紙巻タバコ包装機では、上記種類の切断ユニットは、切断部署の上流に配置された切込み部署において連続細片に長手方向折線を形成するための１つ以上の可動部材を具備した切込みユニットと組み合わされて、使用される。
【０００４】
カラー用ブランク材を上述したように製造するには、切込み部署と切断部署との両方において、作動装置を有する可動部材がそれぞれ必要であり、切込み部署を切断部署に対して極めて正確に位置決めする必要があり、従って機構が複雑になり、切断ユニットのコストが増大する。
【発明の開示】
【０００５】
本発明の目的は、上記の欠点を解消するように構成され、同時に安価でかつ製造しやすい、紙巻タバコの硬質包体のカラー用ブランク材を切断するための切断ユニットを提供することにある。
【０００６】
本発明によれば、請求項１、又は請求項１に直接的もしくは間接的に従属する請求項に記載の、紙巻タバコの硬質包体のカラー用ブランク材を切断するための切断ユニットが提供される。
【０００７】
一例として、本発明を限定することのない本発明の多数の実施例を、添付図面を参照しながら説明する。
【発明を実施するための最良の形態】
【０００８】
図１の符号１は、紙巻タバコの硬質包体（図示しない）のためのカラー２を製造するための切断ユニットの全体を示す。
【０００９】
図４に示されるように、各カラー２は平坦なブランク材３から形成され、このブランク材３は中央パネル４を具備する。この中央パネル４は対称軸線５を有し、中央パネル４の側方には、軸線５に対し平行でかつ軸線５に関し対称的な折線７にそれぞれ沿って、軸線５に関し鏡像的に、２つの側方パネル６が接続される。各折線７は、平坦なブランク材３の、同一でかつ互いに対向する２つの端縁８及び９同士の間を延びており、側方パネル６がそれぞれの折線７回りに中央パネル４に対し直角にそれぞれ折り曲げられるときに、各折線７に沿ってＣ字状貫通スリット１０が形成され、このスリット１０は、関連する折り曲げられた側方パネル６の外側に突出する翼部１１を画定する。
【００１０】
各ブランク材３は、ボール紙等からなる連続細片１２を縁８及び９に沿いつつ横方向に切断することによって形成される。この連続細片１２は、対称軸線５に一致する長手方向軸線を有し、切断部署１４を通って延びる経路Ｐに沿ってかつ方向１３に、切断ユニット１を部分的に形成する送りライン１５（その端部のみが示される）によってステップ状に、送られる。
【００１１】
また、切断ユニット１は、送りライン１５のほかに、切断部署１４に配置される切断装置１６を具備し、この切断装置１６は、固定された切断ブロック１７と、各ブランク材３を縁８及び９に沿ってそれぞれ切断するために切断ブロック１７に向けてかつ切断ブロック１７から移動可能なナイフ１８と、このナイフ１８を作動するための作動装置１９とを具備する。
【００１２】
切断ブロック１７は、接触前面２１を有する板２０によって構成され、この接触前面２１は、ナイフ１８に面し、経路Ｐに接し、経路Ｐに関してナイフ１８と反対側に配置される。板２０は、（細片１２の移動方向１３に関する）後端においてカウンタ刃２２により境界付けられ、このカウンタ刃２２は、板２０と一体的であり、方向１３に交差するよう位置決めされ、縁８及び９を複製するために成形される。図３に示されるように、ブランク材３の折線７及びスリット１０それぞれと同一の形状及び寸法の長手方向スリット２３ａ、２３ｂが面２１上に形成されている。
【００１３】
ナイフ１８は、その一端がロッカーアーム２６の一方のアーム２５に堅固に接続される板２４によって構成される。このロッカーアーム２６は、作動装置１９の一部を形成し、ピン２７によりフレーム２８にヒンジ留めされて経路Ｐに交差しかつ面２１と同一平面上の軸線２９回りに揺動するようにされ、また、ナイフ１８が経路Ｐから離れて位置決めされかつ切断ブロック１７に面する後退休止位置（図１）と、ナイフ１８が切断ブロック１７に係止する前進動作位置（図２）との間でナイフ１８を移動させるようにされる。
【００１４】
図３に示されるように、板２４の中間部分には刃３０が装着され、この刃３０は、板２４から切断ブロック１７に向かって突出し、縁８及び９を複製するために成形された前縁を有し、ナイフ１８が前進動作位置にあるときにはさみの要領でカウンタ刃２２と協働して横方向に細片１２を切断する。方向１３に関し刃３０から上流にある板２４の端部は切込み部材３１を構成し、この切込み部材３１は、切断ブロック１７の面２１に面する平面３２を有し、この平面３２から突出する切込み要素３３ａ及び３３ｂを具備する。この切込み要素３３ａ及び３３ｂは面２１の長手方向スリット２３ａ及び２３ｂと協働してそれぞれ対応する折線７及びスリット１０を形成する。
【００１５】
また、図１及び図２に示されるように、ロッカーアーム２６は、アーム２５のほかにＶ字状アーム３４を具備し、このＶ字状アーム３４は、その一端においてピン２７に装着され、その２つの自由端においてカム従動子３５にそれぞれ装着される。これらカム従動子３５は二重カム３６の両面に係合し、この二重カム３６は、作動装置１９の一部を形成し、軸線２９に平行な軸線（図示しない）回りに回転するようフレーム２８に装着される。二重カム３６は、動作サイクルの一定の順序に従ってロッカーアーム２６を揺動するように構成される。各動作サイクルにおいて、ナイフ１８は、後退休止位置から前進動作位置及びその逆に移動すると共に、使用時、各動作サイクルが経路Ｐに沿う細片１２の１ステップに対応するように、送りライン１５に合わせて作動される。
【００１６】
また、図１及び図２に示されるように、作動装置１９は、ナイフ１８に接続された反作用アセンブリ３７を具備し、この反作用アセンブリ３７は、軸線２９に平行な対応する軸線４０回りに揺動するようにピン３９によりフレーム２８にヒンジ留めされたクランク３８を具備する。また、反作用アセンブリ３７は連接棒４１を具備し、この連接棒４１の一端は、軸線２９に平行な対応するピン４２によってクランク３８の自由端にヒンジ留めされ、他端は、軸線２９に平行な対応するピン４３によって、切込み部材３１の面３２と反対側の面に堅固に接続されたブラケット４４にヒンジ留めされる。
【００１７】
また、反作用アセンブリ３７は別の連接棒４５を具備し、この連接棒４５の両端はそれぞれ、軸線２９に平行なピン４６及び４７によって、クランク３８の中間部分とアーム４８の自由端とにヒンジ留めされる。このアーム４８は、ピン２７に装着され、アーム２５と一体的であり、アーム２５を越えて突出する。
【００１８】
従って、使用時、軸線２９回りのロッカーアーム２６の揺動がアーム４８及び連接棒４５によってクランク３８に伝達され、クランク３８は、クランク３８と連接棒４１とが互いに直交する下降位置であってナイフ１８の後退休止位置に対応する下降位置（図１）と、クランク３８と連接棒４１とが互いに整列されて面３２及び２１に実質的に直交する上昇位置であってナイフ１８の前進動作位置に対応する上昇位置（図２）との間を移動することができる。
【００１９】
ここで、送りライン１５によって経路Ｐに沿いつつステップ状に送られる細片１２が、その端部がカウンタ刃２２を越えて突出した状態で面２１の前で捕捉される瞬間に関して、切断装置１６の動作を説明する。この時点で、当初は後退休止位置（図１）にあったナイフ１８が前進動作位置（図２）に移動するよう起動される。この工程中に、刃３０が経路Ｐを通って移動し、はさみの要領でカウンタ刃２２と協働し、カウンタ刃２２を越え突出する細片の端部を横方向に切断してブランク材３が形成されるようにする。これと同時に、切込み部材３１が、面２１に突き当たり、ブランク材３と同じ長さでかつカウンタ刃２２の直上流に配置される細片１２の一部分を面２１と面３２との間に把持して２つの折線７及び２つのスリット１０が切込み要素３３ａ及び３３ｂにより形成されるようにする。
【００２０】
上記に関連して、反作用アセンブリ３７が、クランク３８及び連接棒４１が連接棒４５及びアーム４８により一直線上に並べられて切込み部材３１を面２１に押圧することにより、切断ブロック１７に向かうナイフ１８の移動を完了させるだけでなく、切断ブロック１７によりナイフ１８に伝達される反作用をピン３９に直接開放し従ってこの反作用がロッカーアーム２６に伝達されるのを阻止するようにもする、ということを指摘しておく。
【００２１】
従って、切断ユニット１は、各ブランク材３を関連する縁９に沿って切断し、同時に、細片１２の縁９から直上流の部分に折線７及びスリット１０を形成することにより、一つの切断部署１４においてかつ一つの切断装置１６でもって、細片１２から折線７及びスリット１０をそれぞれ有する一連のブランク材３を製造する。
【図面の簡単な説明】
【００２２】
【図１】本発明による切断ユニットの好ましい実施例の部分断面側面図。
【図２】異なる動作形態にある切断ユニットを示す、図１と同様の部分断面側面図。
【図３】図１の詳細斜視図。
【図４】図２の詳細前面図。
【図１】
2005329711.tif 000003
【図２】
2005329711.tif 000004
【図３】
2005329711.tif 000005
【図４】
2005329711.tif 000006
【外国語明細書】
2005329711000001.pdf